(57)【特許請求の範囲】
【請求項１】
複数のゲート線、複数の信号線及び各ゲート線と各信号線の交差部分に行列配置した画素で構成された画素アレイ部と、該ゲート線を介して各画素を順次選択する垂直駆動回路と、選択された画素に対し該信号線を介して画像信号を書き込む水平駆動回路とを同一基板上に配した表示装置において、
前記垂直駆動回路は、少くとも二本のゲート線に対して一段が対応し各段毎に順次シフトパルスを出力するシフトレジスタと、論理素子で構成されており外部から供給されるクロックパルスと該シフトパルスのアンドを取る処理を含む処理を行ってドライブパルスを生成し各ゲート線に出力して画素の順次選択を行なうゲート回路部と、水平ブランク期間に同期して外部から供給される水平ブランクパルスであらかじめ該クロックパルスのパルス幅が狭くなるように整形し且つ整形されたクロックパルスを該ゲート回路部に供給する整形手段とを有し、
前記整形手段は、該シフトレジスタ及びゲート回路部から分かれて同一基板上に形成されたレベルシフト回路の領域に配置され、
前記ゲート回路部が各ゲート線に出力するドライブパルスは、時間的に前後した二個のパルス成分を含んでおり、一本のゲート線は少なくとも一水平期間を隔てて二回選択される構成になっていることを特徴とする表示装置。
【請求項２】
前記画素アレイ部は、各ゲート線によって選択される画素が、互いに隣り合う２本の画素の行に振り分けられ、同一のゲート線に接続された画素が、隣り合う行の間で、列毎に交互に配されており、
前記水平駆動回路は同一のゲート線に接続し且つ隣り合う画素に対して各信号線を通し互いに反対極性の画像信号を順次書き込むことを特徴とする請求項１記載の表示装置。
【発明の詳細な説明】
【０００１】
【発明の属する技術分野】
本発明はＬＣＤによって代表されるアクティブマトリクス型の表示装置に関する。より詳しくは、マトリクス状の画素アレイを駆動する垂直駆動回路の構成に関する。
【０００２】
【従来の技術】
図８は、アクティブマトリクス型表示装置の一般的な構成を示す斜視図である。図示する様に、従来の表示装置は、一対の基板１，２と両者の間に保持された液晶３とを備えたパネル構造を有する。下側の基板１には画素アレイ部４と駆動回路部とが集積形成されている。駆動回路部は垂直駆動回路５と水平駆動回路６とに分かれている。又、基板の周辺部上端には外部接続用の端子７が形成されている。各端子７は配線８を介して垂直駆動回路５及び水平駆動回路６に接続している。画素アレイ部４にはゲート線Ｇと信号線Ｓが形成されている。両者の交差部には画素電極９とこれを駆動する薄膜トランジスタ１０が形成されている。画素電極９と薄膜トランジスタ１０の組み合わせで画素Ｐを構成する。薄膜トランジスタ１０のゲート電極は対応するゲート線Ｇに接続され、ドレイン領域は対応する画素電極９に接続され、ソース領域は対応する信号線Ｓに接続している。ゲート線Ｇは垂直駆動回路５に接続する一方、信号線Ｓは水平駆動回路６に接続している。垂直駆動回路５は、ゲート線Ｇを介して各画素Ｐを順次選択する。水平駆動回路６は、選択された画素Ｐに対し信号線Ｓを介して画像信号を書き込む。
【０００３】
【発明が解決しようとする課題】
ＬＣＤの高精細化が進むに連れて、画素のサイズの縮小化も進んでいる。画素の縮小化に伴い、垂直駆動回路も縮小化する必要がある。一般に、垂直駆動回路はシフトレジスタの多段接続からなり、各段が各ゲート線に対応している。シフトレジスタの各段から順次出力されるシフトパルスで、対応する各ゲート線に接続された画素行を線順次で選択する様になっている。しかしながら、画素の縮小化が進むと、ゲート線の配列間隔が狭くなる為、シフトレジスタの一段分がゲート線一本分のスペースに対応できなくなる。
【０００４】
そこで、二本のゲート線に対して一段のシフトレジスタを設けた垂直駆動回路が開発されており、デコード型垂直駆動回路と呼ばれている。このデコード型垂直駆動回路は、一段のシフトレジスタから出力されたシフトパルスにより、外部から供給されるクロックパルスを抜き取って、二本のゲートライン分のドライブパルスを作成している。いわゆるクロックドライブ方式でシフトパルスからドライブパルスを作る為、論理素子を含んだゲート回路が用いられている。単純な垂直駆動回路と異なり、デコード型の垂直駆動回路ではこのゲート回路の部分が複雑であり、ゲート線一本当りの論理素子の数が多くなる為、ＬＣＤパネル上でも大きな占有面積を占める様になっている。この為、本来表示画面を構成すべき画素アレイ部の占有面積が圧迫を受けるとともに、ＬＣＤパネルの表面積の増大化を招き、解決すべき課題となっている。
【０００５】
【課題を解決するための手段】
上述した従来の技術の課題を解決する為に以下の手段を講じた。すなわち、本発明は、複数のゲート線、複数の信号線及び各ゲート線と各信号線の交差部分に行列配置した画素で構成された画素アレイ部と、該ゲート線を介して各画素を順次選択する垂直駆動回路と、選択された画素に対し該信号線を介して画像信号を書き込む水平駆動回路とを同一基板上に配した表示装置において、前記垂直駆動回路は、少くとも二本のゲート線に対して一段が対応し各段毎に順次シフトパルスを出力するシフトレジスタと、論理素子で構成されており外部から供給されるクロックパルスと該シフトパルスのアンドを取る処理を含む処理を行ってドライブパルスを生成し各ゲート線に出力して画素の順次選択を行なうゲート回路部と、水平ブランク期間に同期して外部から供給される水平ブランクパルスであらかじめ該クロックパルスのパルス幅が狭くなるように整形し且つ整形されたクロックパルスを該ゲート回路部に供給する整形手段とを有し、前記整形手段は、該シフトレジスタ及びゲート回路部から分かれて同一基板上に形成されたレベルシフト回路の領域に配置され、前記ゲート回路部が各ゲート線に出力するドライブパルスは、時間的に前後した二個のパルス成分を含んでおり、一本のゲート線は少なくとも一水平期間を隔てて二回選択される構成になっていることを特徴とする。好ましくは、前記画素アレイ部は、各ゲート線によって選択される画素が、互いに隣り合う２本の画素の行に振り分けられ、同一のゲート線に接続された画素が、隣り合う行の間で、列毎に交互に配されている。これに対応して、前記水平駆動回路は、同一のゲート線に接続し且つ隣り合う画素に対して各信号線を通し互いに反対極性の画像信号を順次書き込む。
【０００６】
本発明によれば、パネルの外部から供給されるクロックパルスを、パネルの内部に設けた整形手段で一括整形した後、垂直駆動回路のゲート回路部に供給している。この為、ゲート回路部の各段でクロックパルスの整形を行なう必要がなくなり、その分ゲート回路部の各段を構成する論理素子の個数を削減可能である。これにより、シフトレジスタやゲート回路部を含めた垂直駆動回路全体の占有面積を縮小化できる。
【０００７】
【発明の実施の形態】
以下図面を参照して本発明の実施の形態を詳細に説明する。図１は本発明に係る表示装置の具体的な構成を示す回路図である。図示する様に、本表示装置は基本的に、画素アレイ部４と垂直駆動回路５と水平駆動回路６とで構成されており、何れも同一基板上に薄膜トランジスタなどで集積形成されている。画素アレイ部４は、複数のゲート線Ｇ、複数の信号線Ｓ及び各ゲート線Ｇと各信号線Ｓの交差部分に行列配置した画素Ｐとで構成されている。本例の場合、画素Ｐは画素電極９と薄膜トランジスタ１０とで構成されている。尚、図示しないが画素電極９に対面配置して対向電極が形成されており、両電極の間には電気光学物質として例えば液晶が保持されている。薄膜トランジスタ１０のゲート電極は対応するゲート線Ｇに接続され、ソース電極は対応する信号線Ｓに接続され、ドレイン電極は対応する画素電極９に接続されている。垂直駆動回路５は各ゲート線Ｇを介して各画素Ｐを順次選択する。図では理解を容易にする為、垂直駆動回路５によるゲート線Ｇの線順次選択は画面の下から上に向って行なわれている。具体的には、一番目のゲート線Ｇ１に対応した画素Ｐの行を選択し、次に二番目のゲート線Ｇ２に対応した画素Ｐの行を選択し、以下順に行単位で画素Ｐを選択していく。水平駆動回路６は行単位で順次選択された画素Ｐに対し各信号線Ｓを介して画像信号を書き込む。これにより、画面を構成する画素アレイ部４に所望の画像を表示することができる。
【０００８】
特徴事項として、垂直駆動回路５はシフトレジスタＳ／Ｒとゲート回路部５ｇに加え、整形手段５ｚを有している。シフトレジスタＳ／Ｒは少くとも二本のゲート線に対して一段が対応し、各段毎に順次シフトパルスを出力する。図示の例では、シフトレジスタＳ／Ｒの一段分は三個のインバータで構成されており、そのうちの一個は外部から供給されるクロックパルス２ＶＣＫでクロックドライブされ、他の一個は同じく外部から入力されるクロックパルス２ＶＣＫＸでクロックドライブされている。尚、２ＶＣＫＸは２ＶＣＫに対して極性が反転しており、これを表わす為符号Ｘを用いている。これは、他のクロックパルスについても同様である。多段接続されたシフトレジスタＳ／Ｒはクロックパルス２ＶＣＫ，２ＶＣＫＸに応じて動作し、同じく外部から入力されたスタートパルス２ＶＳＴを順次転送することで、シフトレジスタの各段から順次シフトパルスＡ，Ｂ・・・を出力している。図示の例では、最初の二本のゲート線Ｇ１，Ｇ２に対応して、一段目のシフトレジスタＳ／Ｒが設けてあり、二本のゲート線Ｇ１，Ｇ２に対して一個のシフトパルスＡを出力している。次の二本のゲート線Ｇ３，Ｇ４に対して二段目のシフトレジスタＳ／Ｒが対応しており、同じくシフトパルスＢを出力している。
【０００９】
ゲート回路部５ｇは、外部から供給されるクロックパルスＶＣＫ，ＶＣＫＸを前述したシフトパルスＡ，Ｂ・・・に応じて抜き取ってドライブパルスＡ１，Ａ２，Ｂ１，Ｂ２を生成し、各ゲート線Ｇ１，Ｇ２，Ｇ３，Ｇ４・・・に出力して画素Ｐの線順次選択を行なう。この目的で、ゲート回路部５ｇは、各ゲート線Ｇに対応して、ＮＡＮＤ素子とインバータとバッファの直列接続を有している。例えば一番目のゲート線Ｇ１に着目すると、ゲート回路部５ｇはシフトパルスＡに応じてクロックパルスＶＣＫを抜き取り、ドライブパルスＡ１としてゲート線Ｇ１側に出力する。同様に、ゲート線Ｇ２に着目すると、ゲート回路部５ｇは同じくシフトパルスＡに応じて、外部から供給されるクロックパルスＶＣＫＸを抜き取り、ドライブパルスＡ２としてゲート線Ｇ２側に出力する。
【００１０】
整形手段５ｚは、水平ブランク期間に同期して外部から供給される水平ブランクパルスＥＮＢであらかじめクロックパルスＶＣＫ，ＶＣＫＸを整形し、且つ整形されたクロックパルスｖｃｋ，ｖｃｋｘをゲート回路部５ｇの各段に供給している。すなわち、ゲート回路部５ｇの各ゲート線Ｇに対応した各段には、外部から直接入力されたクロック信号ＶＣＫ，ＶＣＫＸではなく、これを整形手段５ｚにより整形した後のクロックパルスｖｃｋ，ｖｃｋｘを供給している。この様に、あらかじめＶＣＫ，ＶＣＫＸを一括で整形した後、ゲート回路部５ｇの各段に入力している為、ゲート回路部５ｇ側で整形処理を行なう必要がなく、その分論理素子の個数を削減できる。尚、整形手段５ｚは、シフトレジスタＳ／Ｒ及びゲート回路部５ｇから分かれた別の領域に形成されている。
【００１１】
図２のタイミングチャートを参照して、図１に示した表示装置の動作を説明する。前述した様に、垂直駆動回路には、外部からスタートパルス２ＶＳＴ，クロックパルス２ＶＣＫ，２ＶＣＫＸ，ＶＣＫ，ＶＣＫＸ，ＥＮＢが供給される。これらのパルスのうち、２ＶＳＴ，２ＶＣＫ，２ＶＣＫＸは、垂直駆動回路のシフトレジスタの動作に用いられ、シフトパルスＡ，Ｂ・・・を作成する為のものである。ＶＣＫ，ＶＣＫＸはドライブパルスＡ１，Ａ２，Ｂ１，Ｂ２・・・の作成に用いられる。ＥＮＢはマトリクス配置された画素を行単位で時間的に分ける水平ブランク期間を規定している。
【００１２】
整形手段５ｚは、二個のＮＡＮＤ素子と二個のインバータからなり、ＶＣＫ，ＶＣＫＸの各々とＥＮＢとの間でＮＡＮＤを取り、ｖｃｋ，ｖｃｋｘを生成している。一方、シフトレジスタＳ／Ｒは２ＶＣＫ，２ＶＣＫＸに応じて２ＶＳＴを順次転送することで、シフトパルスＡ，Ｂ・・・を生成している。ゲート回路部５ｇは、整形手段５ｚから供給される整形済みのクロックパルスｖｃｋ，ｖｃｋｘを、シフトパルスＡ，Ｂ・・・で抜き取ることにより、水平ブランク期間で互いに隔てられたドライブパルスＡ１，Ａ２，Ｂ１，Ｂ２・・・を出力している。尚、本実施形態では、各ゲート線Ｇに出力されるドライブパルスは時間的に前後して二個のパルス成分を含んでいる。従って、一本のゲート線は一水平期間隔てて二回選択される構成となっている。従って、対応する画素行には、画像信号が二回書き込まれることになる。最初に書き込まれた画像信号は二回目の画像信号で直ぐに書き換えられるので、画品位に影響を及ぼすことはほとんどない。この様な二回書込み方式は、特にドットライン反転駆動方式に適しており、画品位の改善に寄与できる。
【００１３】
前述した様に、垂直駆動回路はゲート線を介して各画素を行単位で順次選択する。水平駆動回路は、選択された画素の行に対し信号線を介して点順次で画像信号を書き込む。液晶を駆動する際には、画像信号の極性を反転して各画素に書き込む必要があり、その方式の一つとして上述したドットライン反転駆動が行なわれている。図３は、ドットライン反転駆動に適した画素配列の一例を示している。図示する様に、各画素Ｐは行列状に配されている。図では、縦の画素列をＸ１，Ｘ２，・・・で示し、横の画素行をＹ１，Ｙ２，・・・で示している。個々の画素Ｐを特定する場合には、例えば（Ｘ１，Ｙ１）で表わす。この画素は第１列Ｘ１の第１行Ｙ１に位置するものを表わしている。ドットライン反転駆動では、同一のゲート線Ｇに接続された画素Ｐは、隣り合う行の間で、列毎に交互に分配されている。例えば、ゲート線Ｇ１に着目すると、画素（Ｘ１，Ｙ１）は、行Ｙ１に属し、次の画素（Ｘ２，Ｙ２）は行Ｙ２に属し、続く画素（Ｘ３，Ｙ１）は行Ｙ１に属し、更に画素（Ｘ４，Ｙ２）は行Ｙ２に属している。
【００１４】
続いて図４を参照して、図３に示した画素配列のドットライン反転駆動を説明する。（１）に示す様に、最初のゲート線Ｇ１が選択されると、これに接続された画素Ｐに画像信号が書き込まれる。前述した様に、選択された画素は画素行Ｙ１とＹ２で交互に振り分けられる。そして、画素行Ｙ１に振り分けられた画素Ｐには、一方の極性（Ｈ）の画像信号が書き込まれ、次の画素行Ｙ２に振り分けられた画素Ｐには反対極性（Ｌ）の画像信号が書き込まれる。見方を変えると、奇数列（Ｘ１，Ｘ３，・・・）と偶数列（Ｘ２，Ｘ４，・・・）とで、画像信号の極性が反転している。
【００１５】
ゲート線Ｇ１の選択が終ると、（２）に示す様に次のゲート線Ｇ２の選択に移る。この時も同様に、画素は行Ｙ２とＹ３とで交互に振り分けられている。尚、先に画像信号が書き込まれた画素は、ハッチングを付して区別をしている。今度も画像信号は各列間で交互に反転して対応する画素に書き込まれる。この際、（１）と（２）では極性が反転している。従って、同一の行に属する画素には全て同一極性の画像信号が書き込まれることになる。例えば、画素行Ｙ２に着目すると、（１）に示した先の書き込みと（２）に示した今回の書き込みとで、全てＬレベルの画像信号が書き込まれる。
【００１６】
続いてゲート線Ｇ３が選択されると、（３）に示す様に画素行Ｙ３，Ｙ４に振り分けられた画素に画像信号が書き込まれる。この時は（２）と極性が反転しており、（１）と同様になる。この結果、画素行Ｙ３に属する画素には、全てＨレベルの画像信号が書き込まれる。以上の様に、ドットライン反転駆動では、水平駆動回路側は互いに隣り合う信号線に対して極性が反転する画像信号を供給し、且つゲート線Ｇ側の順次選択に応じて画像信号の極性を反転させている。これにより、行毎に交互に極性が反転する画像信号を書き込むことができる。
【００１７】
上述したドットライン反転駆動の場合、ある画素列に着目すると、先の画素に対してＨレベルが書き込まれ、次の画素にＬレベルが書き込まれる。この際、先回のフレームで書き込まれたＨレベルから今回のＬレベルに大きく電位が変動する。隣り合う画素にはある程度容量結合があるのでクロストークが生じ、この大きな電位変動により先の画素に書き込まれたＨレベルが若干変動する。この様なクロストークを防止する為に、図２に示した二度選択方式が好適である。すなわち、最初の選択で画像信号を書き込むと、上述したクロストークによりレベルが多少変動するが、直後に二度目の本書込みを行なう為、クロストークは直ちに補償されることになる。
【００１８】
図５は、表示装置の参考例を表わしており、図１に示した本発明に係る表示装置と対応する部分には対応する参照番号を付してある。図５の参考例は、垂直駆動回路５の構成が図１と異なっており、何ら整形手段を設けていない。この関係で図１に示した一段のゲート回路構成と異なり、この参考例はゲート回路部が５ｇ１と５ｇ２の二段構成となっている。これにより、図１の構成と比べ、ＮＡＮＤ素子の個数が二倍になっている。第一段のゲート回路部５ｇ１はＶＣＫ，ＶＣＫＸをシフトパルスＡ，Ｂ・・・で抜き取り、ドライブパルスＡ１，Ａ２，Ｂ１，Ｂ２・・・を生成している。二段目のゲート回路部５ｇ２はドライブパルスＡ１，Ａ２，Ｂ１，Ｂ２・・・をＥＮＢで処理し、処理後のパルスＡ１’，Ａ２’，Ｂ１’，Ｂ２’・・・をバッファを通じて各ゲート線Ｇに出力している。
【００１９】
図６のタイミングチャートを参照して、図５に示した参考表示装置の動作を説明する。外部から垂直駆動回路に供給されるパルスは、２ＶＳＴ，２ＶＣＫ，２ＶＣＫＸ，ＶＣＫ，ＶＣＫＸ，ＥＮＢで、図１に示した本発明の表示装置と同様である。垂直駆動回路のシフトレジスタは２ＶＳＴを２ＶＣＫ，２ＶＣＫＸで順次転送し、シフトパルスＡ，Ｂ・・・を出力する。更に垂直駆動回路の一段目のゲート回路部５ｇ１は、シフトパルスＡ，Ｂ・・・に応じてＶＣＫ，ＶＣＫＸを抜き取り、ドライブパルスＡ１，Ａ２，Ｂ１，Ｂ２・・・を生成する。この処理に、各ゲート線毎一個のＮＡＮＤ素子が必要である。更に、垂直駆動回路の二段目のゲート回路部５ｇ２は、ドライブパルスＡ１，Ａ２，Ｂ１，Ｂ２・・・をＥＮＢで整形して、最終的なドライブパルスＡ１’，Ａ２’，Ｂ１’，Ｂ２’・・・を出力し、各ゲート線に供給している。この整形処理に二個目のＮＡＮＤ素子が各ゲート線毎に必要となる。この整形処理により、各ゲート線に供給されるドライブパルスは、水平ブランク期間で時間的に隔てられる様になる。以上の様に、クロックドライブ方式で最終的なドライブパルスを生成するまで、一本のゲート線に付き、二個のＮＡＮＤ素子が必要となる。
【００２０】
図７の（１）は、図１に示した本発明の表示装置の全体構成を示している。図示する様に、基板１の上に画素アレイ部４、垂直駆動回路５、水平駆動回路６、外部接続用の端子７、レベルシフト回路（Ｌ／Ｓ）２０、プリチャージ回路３０などが集積形成されている。画素アレイ部４は左右両側から垂直駆動回路５で駆動される様になっている。外部接続用の端子７にはクロックパルスＶＣＫ，ＶＣＫＸ，ＥＮＢなど必要なパルス信号が供給される。端子７に供給されたパルスはレベルシフト回路２０で電圧レベルを内部的に調整した後、バッファを介して垂直駆動回路５や水平駆動回路６に供給される。本実施形態では、垂直駆動回路５に付随する整形手段５ｚは、レベルシフト回路２０が形成される領域の一部に配置してある。垂直駆動回路５は線順次で画素アレイ部４を走査するとともに、これに同期して水平駆動回路６が画像信号を画素アレイ部４に書き込む。その際、プリチャージ回路３０は垂直駆動回路５による画像信号の書き込みに先行して、画素アレイ部４をプリチャージして、クロストークなどを抑制し画品位を改善している。
【００２１】
本表示装置はレベルシフト回路２０の領域に配置した整形手段５ｚで、あらかじめＥＮＢとＶＣＫ，ＶＣＫＸとのＮＡＮＤを取り、整形したｖｃｋパルスを生成し、これを垂直駆動回路５側に供給している。垂直駆動回路５はｖｃｋパルスとシフトパルスとのＮＡＮＤを取ることで、水平ブランク期間を有したゲート線ドライブパルスを得ている。本方式ではＶＣＫ，ＶＣＫＸとＥＮＢとをあらかじめＮＡＮＤ処理したｖｃｋパルスを用いることで、垂直駆動回路５内部のＮＡＮＤ素子の個数を参考例に比べ二つから一つに減少させている。つまり、本方式によって垂直駆動回路５のレイアウトの縮小化が達成でき、ＬＣＤパネルの狭額縁化を実現できる。又、ＶＣＫ，ＶＣＫＸとＥＮＢとのＮＡＮＤを取る整形手段５ｚは、垂直駆動回路５の領域とは別にレベルシフト回路２０の領域に配置する為、レイアウト上のスペースの問題は生じない。
【００２２】
図７の（２）は図５に示した参考表示装置の全体構成を示すブロック図である。理解を容易にする為、図７の（１）に示した本発明の表示装置と対応する部分には対応する参照番号を付してある。前述した様に、この参考表示装置においては、シフトレジスタの一段によって生成されたシフトパルスと、ＶＣＫ，ＶＣＫＸとのＮＡＮＤを取ることで、各信号線に対応したドライブパルスを生成している。更に、各ドライブパルスを水平ブランク期間で隔てる為、ゲートパルスとＥＮＢとのＮＡＮＤを取っている。この様に、参考例ではシフトパルスに対して二段階でＮＡＮＤを取ることで、最終的なドライブパルスを生成しており、垂直駆動回路５に、ゲート線一本当りＮＡＮＤ素子を二つレイアウトしている。ＬＣＤパネルのコストを下げる為、パネルの額縁サイズを縮小化し、パネル理収を上げることが必須となっている。この点、参考表示装置の垂直駆動回路は、一本のゲート線当りＮＡＮＤ素子を二つ必要としている。一つのＮＡＮＤ素子のレイアウト幅は２００μｍ程度であり、垂直駆動回路５の全体的なレイアウト幅１５００μｍに対して１３％の割合を占めている。従って、ＮＡＮＤ素子は最もレイアウト幅を取る部分の一つであり、参考例ではこれを一本のゲート線当り二個使っている為、画素アレイ部４を囲む周辺の額縁部分の幅が太くなってしまい、コスト的に不利である。
【００２３】
【発明の効果】
以上説明した様に、本発明によれば、外部から供給されるクロックパルスをあらかじめ一括で整形処理した上で、垂直駆動回路に供給している。これにより、垂直駆動回路に必要な論理素子の個数を削減でき、垂直駆動回路の縮小化を実現できる。具体的には、垂直駆動回路とは別の部分でＶＣＫとＥＮＢとのＮＡＮＤを取り、このＮＡＮＤ回路で得られたｖｃｋパルスを垂直駆動回路内部で用いることで、垂直駆動回路内のＮＡＮＤ素子の数を半減することができる。これにより、垂直駆動回路の占有面積を約１３％縮小化することが可能となり、ＬＣＤパネルの狭額縁化を達成できる。
【図面の簡単な説明】
【図１】本発明に係る表示装置の構成を示す回路図である。
【図２】図１に示した表示装置の動作説明に供するタイミングチャートである。
【図３】本発明に係る表示装置の画素配列の一例を示す模式図である。
【図４】図３に示した表示装置の動作説明に供する模式図である。
【図５】表示装置の参考例を示す回路図である。
【図６】図５に示した参考表示装置の動作説明に供するタイミングチャートである。
【図７】表示装置の全体構成を示す模式図である。
【図８】従来の表示装置の一例を示す模式的な斜視図である。
【符号の説明】
４・・・画素アレイ部、５・・・垂直駆動回路、５ｇ・・・ゲート回路、５ｚ・・・整形手段、Ｓ／Ｒ・・・シフトレジスタ、Ｌ／Ｓ・・・レベルシフト回路
【図１】
0003968499.tif 000002
【図２】
0003968499.tif 000003
【図３】
0003968499.tif 000004
【図４】
0003968499.tif 000005
【図５】
0003968499.tif 000006
【図６】
0003968499.tif 000007
【図７】
0003968499.tif 000008
【図８】
0003968499.tif 000009